(57)【要約】【課題】乳幼児を座席部に拘束するベルトに対する取付位置のずれを抑制可能としたベルトカバーおよび座席装置を提供することを目的とする。【解決手段】乗車している乳幼児の股に延在される股ベルトと、座面ベース部３１に配置され、股ベルトが通される股通し穴３７を備えた表面シート３６と、股ベルトが通され、全体が可撓性を有する股ベルトカバー４３とを備え、股ベルトカバー４３は、股ベルトが挿通される筒状部４４と、筒状部４４における一方の第１開口部から延出した舌部４５とを備え、舌部４５は、第１開口部に位置する基端部よりも先端側に、基端部よりも幅広な幅広部を備え、股通し穴３７，４２に通され、表面シート３６の下面側において、筒状部４４に対して折曲されている。【選択図】図３
2020163887.tif 000002
【特許請求の範囲】
【請求項１】
乳幼児を座席部に拘束するベルトをカバーし、かつ、全体が可撓性を有するベルトカバーであって、
前記ベルトが通される筒状部と、
前記筒状部における一方の開口部から延出した舌部とを備え、
前記舌部は、前記開口部に位置する基端部よりも先端側に、前記基端部よりも幅広な幅広部を備える
ベルトカバー。
【請求項２】
前記幅広部は、前記座席部に配置されたシートに設けられ、かつ、前記ベルトが通される通し穴よりも幅広である
請求項１に記載のベルトカバー。
【請求項３】
座席部の乳幼児を拘束する座席装置であって、
前記座席部は、
座面部と、
前記座面部の奥側に位置する背当て部と、
前記座面部から延出され、かつ、乗車している前記乳幼児の股に延在される股ベルトと、
前記背当て部から延出され、かつ、乗車している前記乳幼児の肩に延在される肩ベルトと、
前記座面部または前記背当て部から延出され、かつ、乗車している前記乳幼児の腰まわりに延在される腰ベルトと、
前記座面部および前記背当て部に配置されるシートであって、前記股ベルト、前記肩ベルト、および、前記腰ベルトの各々に対応して設けられ、かつ、各ベルトが通される通し穴を備えた前記シートと、
前記股ベルト、前記肩ベルト、および、前記腰ベルトのうちの少なくとも１つのベルトにおいて、当該ベルトが通され、かつ、全体が可撓性を有するベルトカバーとを備え、
前記ベルトカバーは、
前記ベルトが通される筒状部と、
前記筒状部における一方の開口部から延出した舌部とを備え、
前記舌部は、前記開口部に位置する基端部よりも先端側に、前記基端部よりも幅広な幅広部を備え、
前記舌部は、前記通し穴に通され、前記シートの下面側において、前記筒状部に対して折曲されている
座席装置。
【請求項４】
前記股ベルトが通される前記ベルトカバーは、前記背当て部側に折曲されている
請求項３に記載の座席装置。
【発明の詳細な説明】
【技術分野】
【０００１】
本発明は、座席部の乳幼児を拘束するベルトが挿通されるベルトカバーおよび座席装置に関する。
【背景技術】
【０００２】
乳幼児の座席装置として、ベビーカーやチャイルドシートなどがある。例えば、ベビーカーでは、座席部に、乗車する乳幼児を拘束するために、股ベルトと一対の腰ベルトと一対の肩ベルトとを備えている（特許文献１参照）。股ベルトは、乗車している乳幼児の股に延在され、先端部にバックルを備えている。また、腰ベルトは、乗車している乳幼児の左右の腰回りに延在され、乗車している乳幼児の左右の肩に延在される。そして、股ベルトと腰ベルトと肩ベルトとは、バックルによって結合される。チャイルドシートにあっても、同様な構成で座席部に乳幼児を拘束するものがある。
【先行技術文献】
【特許文献】
【０００３】
【特許文献１】特開２０１８−２０２９８２号公報
【発明の概要】
【発明が解決しようとする課題】
【０００４】
これらのベルトは、座席部の乳幼児に接する部材である。したがって、これらのベルトと乳幼児との接触を緩和することが必要となる。このため、これらのベルトには、ベルトカバーが取り付けられていることが多い。しかし、ベルトカバーは、乳幼児が座席部に乗車しているうちに位置がベルトに沿ってずれることがある。このような場合、ベルトカバーがずれることによって生じた隙間から露出したベルトが直接乗車している乳幼児と接触してしまうおそれが生じる。
【０００５】
本発明は、以上のような課題に鑑みてなされたものであり、乳幼児を座席部に拘束するベルトに対するベルトカバーの位置ずれを抑制可能としたベルトカバーおよび座席装置を提供することを目的とする。
【課題を解決するための手段】
【０００６】
以上のような課題を解決するベルトカバーは、乳幼児を座席部に拘束するベルトをカバーし、かつ、全体が可撓性を有するベルトカバーであって、前記ベルトが通される筒状部と、前記筒状部における一方の開口部から延出した舌部とを備え、前記舌部は、前記開口部に位置する基端部よりも先端側に、前記基端部よりも幅広な幅広部を備える。
【０００７】
上記構成によれば、舌部が座席部の通し穴に通され、乳幼児による荷重によって押さえられる。したがって、ベルトカバーは、ベルトに対して位置がずれにくくなる。舌部は、幅広部を備えることで、通し穴より抜けにくくなる。
【０００８】
上記ベルトカバーにおいて、前記幅広部は、前記座席部に配置されたシートに設けられ、かつ、前記ベルトが通される通し穴よりも幅広である構成としてもよい。
上記構成によれば、幅広部は、通し穴よりも幅広なので、通し穴より抜けにくくなる。
【０００９】
以上のような課題を解決する座席装置は、座席部の乳幼児を拘束する座席装置であって、前記座席部は、座面部と、前記座面部の奥側に位置する背当て部と、前記座面部から延出され、かつ、乗車している前記乳幼児の股に延在される股ベルトと、前記背当て部から延出され、かつ、乗車している前記乳幼児の肩に延在される肩ベルトと、前記座面部または前記背当て部から延出され、かつ、乗車している前記乳幼児の腰まわりに延在される腰ベルトと、前記座面部および前記背当て部に配置されるシートであって、前記股ベルト、前記肩ベルト、および、前記腰ベルトの各々に対応して設けられ、かつ、各ベルトが通される通し穴を備えた前記シートと、前記股ベルト、前記肩ベルト、および、前記腰ベルトのうちの少なくとも１つのベルトにおいて、当該ベルトが通され、かつ、全体が可撓性を有するベルトカバーとを備え、前記ベルトカバーは、前記ベルトが通される筒状部と、前記筒状部における一方の開口部から延出した舌部とを備え、前記舌部は、前記開口部に位置する基端部よりも先端側に、前記基端部よりも幅広な幅広部を備え、前記舌部は、前記通し穴に通され、前記シートの下面側において、前記筒状部に対して折曲されている。
【００１０】
上記構成によれば、舌部が座席部の通し穴に通され、乳幼児による荷重によって押さえられる。したがって、ベルトカバーは、ベルトに対して位置がずれにくくなり、ベルトが露出して乳幼児に直接触れにくくできる。また、ベルトカバーは、幅広部を備えることで、通し穴より抜けにくくなる。
【００１１】
上記座席装置において、前記股ベルトが通される前記ベルトカバーは、前記背当て部側に折曲されているようにしてもよい。
上記構成によれば、舌部は、乳幼児の尻部などの下に位置することになり、乳幼児の尻部からの荷重で押さえられる。
【発明の効果】
【００１２】
本発明は、乳幼児を座席部に拘束するベルトに対するベルトカバーの位置ずれを抑制できる。
【図面の簡単な説明】
【００１３】
【図１】ベビーカーの展開状態を示す斜視図。
【図２】座席部と座席部に表面シートを配置する状態を示す正面図。
【図３】股ベルトに股ベルトカバーを取り付ける状態を示す要部斜視図。
【図４】股ベルトカバーの正面図。
【図５】肩ベルトに肩ベルトカバーを取り付ける状態を示す要部斜視図。
【図６】肩ベルトカバーの正面図。
【図７】乳幼児が乗車している状態を示すベビーカーの正面図。
【図８】股ベルト、腰ベルト、および、肩ベルトをバックルに結合する状態を示す要部正面図。
【図９】腰ベルトにベルトカバーを取り付けた状態を示す要部斜視図。
【発明を実施するための形態】
【００１４】
以下、図１〜図９を参照して、本発明に係る座席装置を適用したベビーカーを説明する。
図１は、乳幼児などを乗せて使用するための一人乗りの折り畳み式のベビーカー１であり、乳幼児などを寝かせた姿勢や座らせた姿勢で使用する。また、図１は、ベースシートなどのクッション部材および幌をフレームに取り付けた状態を示している。図１に示すベビーカー１の状態は、ハンドルがベビーカー後方に位置し、後方からベビーカー１を操作する背面押しの状態を示している。以下の説明では、背面押しの状態を基準にして、進行方向を「前方」と定義し、進行方向に対して反対方向を後方（背面）と定義し、さらに進行方向に対して左右方向を左右（幅）方向と定義し、進行方向に対して上下方向を上下と定義する。
【００１５】
図１に示すように、このベビーカー１は、一対の前脚フレーム１１と、一対の後脚フレーム１２と、乳幼児などを寝かせた姿勢や座らせた姿勢で乗車させる座席部１３とを備えている。各前脚フレーム１１は、直線的な形状を有しており、その下端部には、キャスター付きの前輪１１ａが配置されている。各後脚フレーム１２は、Ｌ字形状を有しており、その下端部には、キャスター付きの後輪１２ａが配置されている。一対の前脚フレーム１１は、左右方向に横断する前ステー１４によって連結されており、一対の後脚フレーム１２も、左右方向に横断する後ステー１５によって連結されている。前ステー１４には、着座している乳幼児等が足を掛けるステップ１６が配置されている。
【００１６】
一対の前脚フレーム１１において、上端部は、アームレスト１７が回動可能に支持されている。一対の後脚フレーム１２もまた、上端部は、アームレスト１７が回動可能に支持されている。座席部１３は、一対の前脚フレーム１１と一対の後脚フレーム１２との間に構成され、座面部１３ａと背当て部１３ｂとで構成されている。座面部１３ａは、前輪１１ａおよび後輪１２ａとアームレスト１７との間の中間の高さ位置に構成されている。具体的に、座面部１３ａは、前脚フレーム１１と後脚フレーム１２の間において、前後方向に側部フレームが配置され、座板部材が左右の側部フレームに弾性支持され、または、ベースシートが側部フレームに張架されている。そして、そこに表面シートや座面クッションが配置されている。側部フレーム、前脚フレーム１１、後脚フレーム１２、および、アームレスト１７は、互いに連携しており、ベビーカー１は、展開状態と折畳状態とに遷移される。
【００１７】
アームレスト１７の先端部には、フロントガード２２が着脱可能に取り付けられる。また、アームレスト１７の外側には、ベビーカー１を押して操作するハンドル２３が配置されている。ハンドル２３は、全体が逆Ｕ字形状を有している。ハンドル２３の中で横に延びる横フレーム２３ｂは、中央部に、操作者のグリップとなり、操作者によって操作される開閉ロックレバー２４が配置されている。
【００１８】
ハンドル２３の縦フレーム２３ａは、回動軸２５によってフレームに回動可能に支持されている。ハンドル２３は、ベビーカー１の後方である背面押し位置とベビーカー１の前方である対面押し位置の２つの位置の間を、回動軸２５を中心に回動する（矢印Ｄ１方向および反矢印Ｄ１方向）。
【００１９】
図２に示すように、座面部１３ａの後端部には、Ｕ字形状を有した背当てフレームが回動可能に取り付けられている。背当て部１３ｂは、背当てフレームにベースシートが張架され、そこに表面シートなどが配置されることによって構成されている。また、背当てフレームには、ヘッドレストなども設けられている。
【００２０】
座席部１３を構成する座面部１３ａおよび背当て部１３ｂには、乗車している乳幼児に対する振動を緩和するクッション部が設けられている。具体的には、座面部１３ａは、座板部材または左右の側部フレームに張架されたベースシートで構成された座面ベース部３１を備えている。そして、座面ベース部３１からは、股ベルト３２が延出している。股ベルト３２は、帯状のベルト部３２ａと、ベルト部３２ａの先端に設けられた結合部材としてのバックル３２ｂとを備えている。
【００２１】
背当て部１３ｂは、背当てフレームにベースシートを張架した背当てベース部３３を備えている。背当てベース部３３からは、上側先端部に近い上方位置から乳幼児の肩に相当する位置から一対の肩ベルト３４が延出している。各肩ベルト３４は、帯状のベルト部３４ａと、ベルト部３４ａの先端に設けられた腰ベルト３５のフック片３５ｄが係合される係合部３４ｂとを備えている（図８参照）。各係合部３４ｂは、例えばベルト部３４ａの先端部を折曲して構成された筒部であって、腰ベルト３５のフック片３５ｄが挿入される。
【００２２】
また、背当てベース部３３からは、座面部１３ａと背当て部１３ｂの境界部より若干上側となる乳幼児の腰に相当する位置から一対の腰ベルト３５が延出している。各腰ベルト３５は、帯状のベルト部３５ａと、ベルト部３５ａの先端に設けられた結合部材としての差し込みバックル３５ｂとを備えている（図８参照）。差し込みバックル３５ｂは、バックル３２ｂに対する差込片３５ｃと、各肩ベルト３４の係合部３４ｂに挿入されるフック片３５ｄとを備えている。各フック片３５ｄは、各肩ベルト３４の係合部３４ｂに挿入された状態で先端部が突き合わせ係合される。
【００２３】
座面ベース部３１および背当てベース部３３上には、表面シート３６が配置される。表面シート３６は、座面ベース部３１および背当てベース部３３に跨る一連のクッションシートで構成されている。表面シート３６は、各面に異なる意匠が施されたリバーシブルシートであってもよいし、表面と裏面を有し表面のみに意匠が施された片面シートであってもよい。
【００２４】
表面シート３６は、座面ベース部３１および背当てベース部３３の境界部より若干上側に相当する位置であって左右の両側縁部から止めベルト３６ａが延出している。止めベルト３６ａは、先端部にホック３６ｃを備え、先端部が背当てフレームの背後に回されてホック３６ｃで止められる。表面シート３６は、乳幼児が乗っているとき、乳幼児が繰り返し動くことで、ベビーカー１の前方へずれて行く傾向があるが、止めベルト３６ａによって背当てフレームに取り付けられることで、全体がベビーカー１の前方へずれていくことが抑えられている。また、表面シート３６の上縁部からも、上側止めベルト３６ｂが延出している。上側止めベルト３６ｂは、例えば面ファスナを備え、背当てフレームに巻き付けることで、表面シート３６の上側を背当てフレームに固定する。
【００２５】
表面シート３６は、座面部１３ａに相当する位置に座面ベース部３１から延出する股ベルト３２を通すための第１股通し穴３７を備えている。第１股通し穴３７は、股ベルト３２のベルト部３２ａの幅と同じ幅を有した左右方向に延びるスリット形状の貫通孔である。第１股通し穴３７の幅は、通されるベルト部３２ａが大きく移動してしまわない幅に設計されていれば、ベルト部３２ａの同じ幅であってもよいし、若干広くてもよい。また、第１股通し穴３７は、ベルト部３２ａが大きく撓んでしまわない程度に通るのであれば、若干狭くてもよい。第１股通し穴３７には、座面ベース部３１から延出している股ベルト３２がバックル３２ｂを挿入端として通される。第１股通し穴３７は、後述する股ベルトカバー４３の舌部４５も挿通できるように考慮した大きさとなっている。
【００２６】
表面シート３６は、背当て部１３ｂに相当する位置に背当てベース部３３から延出する肩ベルト３４を通すための肩通し穴３８を備えている。肩通し穴３８は、右肩ベルト３４用と左肩ベルト３４用に２列設けられ、各列が乳幼児の成長に応じて高さ調節できるように高さ方向に３段階設けられている。各肩通し穴３８は、肩ベルト３４のベルト部３４ａの幅と同じ幅を有した左右方向に延びるスリット形状の貫通孔である。肩通し穴３８の幅は、通されるベルト部３４ａが大きく移動してしまわない幅に設計されていれば、ベルト部３４ａの同じ幅であってもよいし、若干広くてもよい。また、肩通し穴３８は、ベルト部３４ａが大きく撓んでしまわない程度に通るのであれば、若干狭くてもよい。そして、所定の高さの各肩通し穴３８には、背当てベース部３３から延出している肩ベルト３４が係合部３４ｂを挿入端として通される。肩通し穴３８も、後述する肩ベルトカバー４７の舌部４９も挿通できるように考慮した大きさとなっている。
【００２７】
表面シート３６は、背当てベース部３３であって座面ベース部３１および背当てベース部３３の境界部に近い位置に背当てベース部３３から延出する腰ベルト３５を通すための腰通し穴３９を備えている。腰通し穴３９は、右腰ベルト３５用と左腰ベルト３５用に２つ設けられている。各腰通し穴３９は、腰ベルト３５のベルト部３５ａの幅と同じ幅を有した上下方向に延びるスリット形状の貫通孔である。腰通し穴３９の幅は、通されるベルト部３５ａが大きく移動してしまわない幅に設計されていれば、ベルト部３５ａの同じ幅であってもよいし、若干広くてもよい。また、腰通し穴３９は、ベルト部３５ａが大きく撓んでしまわない程度に通るのであれば、若干狭くてもよい。そして、所定の高さの各腰通し穴３９には、背当てベース部３３から延出している腰ベルト３５が差し込みバックル３５ｂを挿入端として通される。
【００２８】
図３に示すように、表面シート３６において、座面部１３ａに相当する位置には、さらに、座面クッション４１を配置することもできる。座面クッション４１は、表面シート３６に対してクッション性の高い座布団である。座面クッション４１にも、第２股通し穴４２が設けられている。第２股通し穴４２は、股ベルト３２のベルト部３２ａの幅と同じ幅を有した左右方向に延びるスリット形状の貫通孔である。第２股通し穴４２は、第１股通し穴３７と同じように設けられている。第２股通し穴４２も、後述する股ベルトカバー４３の舌部４５も挿通できるように考慮した大きさとなっている。
【００２９】
股ベルト３２には、股ベルトカバー４３が取り付けられる。図４に示すように、股ベルトカバー４３は、メッシュシートで柔軟で薄い多孔質体を挟んだ生地素材を縫製して構成されることで全体として可撓性を有している。股ベルトカバー４３は、ベルト部３２ａが挿通される筒状部４４と、筒状部４４における一方の第１開口部４４ａの一部から延出した舌部４５とを備えている。舌部４５は、第１開口部４４ａに位置する基端部よりも先端側に、当該基端部よりも幅広な幅広部４５ａを備えている。
【００３０】
ここで、舌部４５は、その基端部の幅Ｗ１が第１股通し穴３７および第２股通し穴４２の幅Ｗ３と同じまたは若干広いもしくは若干狭く形成されている。舌部４５は、基端部から先端部に向かって漸次拡幅し、台形形状を有している、舌部４５の先端部の幅広部４５ａの幅Ｗ２は、第１股通し穴３７および第２股通し穴４２の幅Ｗ３よりも広く形成されている。
【００３１】
また、股ベルトカバー４３は、筒状部４４における第１開口部４４ａとは反対側の第２開口部４４ｂから延出しベルト部３２ａの先端部に設けられたバックル３２ｂを支持する支持部４６を備えている。支持部４６は、バックル３２ｂ全体を下側から支持する大きさを有した形状であって例えば半円形形状を有している。これにより、支持部４６は、バックル３２ｂと乳幼児側との間に位置して、バックル３２ｂが直接乳幼児に接触しないようにする。
【００３２】
以上のよう構成された股ベルトカバー４３は、筒状部４４を構成するための帯部４４ｃ側が表となる。図３に示すように、先ずは、表面シート３６が座面ベース部３１および背当てベース部３３に取り付けられ、座面ベース部３１の上に座面クッション４１が置かれた状態とする。なお、座面クッション４１は、不要な場合、配置しなくてもよい。このような状態で、股ベルトカバー４３の筒状部４４には、帯部４４ｃをベビーカー１の前方に向けた状態で、ベルト部３２ａが第１開口部４４ａからバックル３２ｂを挿入端にして挿入される。そして、バックル３２ｂは、第２開口部４４ｂから露出され、支持部４６上に配置される。
【００３３】
一方、舌部４５上には、第１開口部４４ａからベルト部３２ａが延在する。舌部４５は、撓ませて座面クッション４１の第２股通し穴４２に挿通され、次いで、その下に位置する表面シート３６の第１股通し穴３７に挿通され、座面ベース部３１の上にある表面シート３６の裏面に臨む。そして、舌部４５は、座面ベース部３１から露出しているベルト部３２ａの基端部および座面ベース部３１の形状に倣って、先端部がベルト部３２ａの基端部とは離れる方向に折曲される。具体的には、座面ベース部３１の奥方向となる背当て部１３ｂ側に折曲される。
【００３４】
したがって、折曲された舌部４５は、乳幼児の尻部などの下に位置することになり、乳幼児による荷重が加わる。これにより、第１開口部４４ａは、第２股通し穴４２の周囲に近接した状態が維持され、ベルト部３２ａが露出することが抑えられる。また、座面クッション４１を配置していない場合、第１開口部４４ａは、第１股通し穴３７の周囲に近接した状態が維持され、ベルト部３２ａが露出することが抑えられる。そして、股ベルトカバー４３は、股ベルト３２に対して位置がずれにくくなる。特に、股ベルトカバー４３は、股ベルト３２のバックル３２ｂの方向にもずれにくく、股ベルト３２から抜けにくくもなる。すなわち、筒状部４４は、第２股通し穴４２または第１股通し穴３７とバックル３２ｂとの間に位置し、ベルト部３２ａが直接乳幼児の股に接触することを防ぐことができる。
【００３５】
また、図５に示すように、左右の肩ベルト３４には、肩ベルトカバー４７が取り付けられる。肩ベルトカバー４７は、股ベルトカバー４３と同様の生地素材によって全体として可撓性を有している。図６に示すように、肩ベルトカバー４７は、ベルト部３４ａが挿通される筒状部４８と、筒状部４８における一方の第１開口部４８ａから延出した舌部４９とを備えている。
【００３６】
ここで、舌部４９は、その基端部の幅Ｗ１１が肩通し穴３８の幅Ｗ１３と同じまたは若干広いもしくは若干狭く形成されている。舌部４９は、基端部から先端部に向かって漸次拡幅し、台形形状を有している。舌部４９の先端部の幅広部４９ａの幅Ｗ１２は、肩通し穴３８の幅Ｗ１３よりも広く形成されている。
【００３７】
以上のように構成された肩ベルトカバー４７は、筒状部４８を構成するための帯部４８ｃ側が表となる。図５に示すように、表面シート３６が座面ベース部３１および背当てベース部３３に取り付けられた状態とする。このような状態で、肩ベルトカバー４７の筒状部４８には、帯部４８ｃをベビーカー１の前方または上方に向けて、ベルト部３４ａが係合部３４ｂを挿入端にして第１開口部４８ａから挿入される。そして、係合部３４ｂは、第１開口部４８ａとは反対側の第２開口部４８ｂから露出される。
【００３８】
一方、舌部４９上には、第１開口部４８ａからベルト部３４ａが延在する。舌部４９は、撓ませて表面シート３６の肩通し穴３８に挿通され、背当てベース部３３の上にある表面シート３６の裏面に臨む。そして、舌部４９は、先端部が背当てベース部３３から露出しているベルト部３４ａの基端部とは離れる方向に折曲される。具体的には、舌部４９は、下方となる座面ベース部３１側に折曲される。したがって、折曲された舌部４９は、乳幼児の背中などの下に位置することになり、乳幼児による荷重が加わる。これにより、第１開口部４８ａは、肩通し穴３８の周囲に近接した状態が維持され、ベルト部３４ａが露出することが抑えられる。また、肩ベルトカバー４７は、肩ベルト３４に対して位置がずれにくくなる。特に肩ベルトカバー４７は、肩ベルト３４の係合部３４ｂの方向にもずれにくく、肩ベルト３４から抜けにくくもなる。すなわち、筒状部４８は、肩通し穴３８と係合部３４ｂとの間に位置し、露出したベルト部３４ａが直接乳幼児の肩近くの肌に接触することを防ぐことができる。
【００３９】
次に、ベビーカー１の作用として、乳幼児のベルトによる拘束方法を説明する。図７に示すように、乳幼児は、ベビーカー１の正面を向けて座席部１３に乗せられる。そして、股ベルトカバー４３で覆われた股ベルト３２は、バックル３２ｂが持ち上げられて、乳幼児の股に延在される。これとともに、肩ベルトカバー４７で覆われた各肩ベルト３４は、乳幼児の肩に延在され垂れ下げられる。また、図８に示すように、腰ベルト３５は、乳幼児の腰に延在され、腰ベルト３５の差し込みバックル３５ｂは、フック片３５ｄが肩ベルト３４の係合部３４ｂに挿入され、その状態で、先端部が突き合わせ係合される。また、差込片３５ｃは、バックル３２ｂに差し込まれ係合される。これにより、乳幼児は、座席部１３に拘束されることになる。
【００４０】
この状態において、乳幼児が繰り返し動いたとしても、股ベルト３２は、舌部４５が乳幼児の荷重で押さえられているので、股ベルトカバー４３がベルト部３２ａに沿ってずれることが抑えられる。また、肩ベルトカバー４７は、肩ベルト３４は、舌部４９が乳幼児の荷重で押さえられているので、肩ベルトカバー４７がベルト部３４ａに沿ってずれることが抑えられる。
【００４１】
以上のようなベビーカー１によれば、以下に列挙する効果が得られる。
（１）股ベルト３２において、舌部４５は、表面シート３６の裏側であって、座面ベース部３１と表面シート３６との間において、ベルト部３２ａの基端部および座面ベース部３１の形状に倣って、先端部がベルト部３２ａの基端部とは離れる方向に折曲される。したがって、折曲された舌部４５は、乳幼児の尻部などの下に位置することになり、股ベルトカバー４３は、乳幼児の荷重が加わることで、股ベルト３２に対して位置がずれにくくなる。したがって、座面クッション４１を配置していないときであっても、ベルト部３２ａが第１股通し穴３７や第２股通し穴４２の位置で露出しにくくなり、乳幼児の股近くの肌と直接接触することを防ぐことができる。すなわち、乳幼児の股近くの肌とは、股ベルトカバー４３が接触することで、肌との当たりを和らげることができる。
【００４２】
（２）舌部４５は、幅広部４５ａを備えていることで、第１股通し穴３７から抜けにくくなる。すなわち、股ベルトカバー４３は、ベルト部３２ａ沿って位置がずれることを抑えることができる。特に、幅広部４５ａは、第１股通し穴３７よりも幅広であることで、第１股通し穴３７および第２股通し穴４２から抜けにくくなる。
【００４３】
（３）表面シート３６において、座面部１３ａに相当する位置には、さらに、座面クッション４１が配置することもできる。舌部４５が乳幼児の尻部による荷重によって押さえられているので、ベルト部３２ａが第２股通し穴４２の位置でも露出しにくくなる。
【００４４】
（４）肩ベルト３４において、舌部４９は、表面シート３６の裏側であって、座面ベース部３１と表面シート３６との間で、ベルト部３４ａの基端部および背当てベース部３３に倣って、先端部がベルト部３４ａの基端部とは離れる方向に折曲される。したがって、折曲された舌部４９は、乳幼児の背中などの下に位置することになり、肩ベルトカバー４７は、乳幼児の荷重が加わることで、肩ベルト３４に対して位置がずれにくくなる。したがって、ベルト部３４ａが肩通し穴３８の位置で露出しにくくなり、乳幼児の首など肩近くの肌と直接接触することを防ぐことができる。すなわち、乳幼児の肩近くの肌とは、肩ベルトカバー４７が接触することで、肌との当たりを和らげることができる。
【００４５】
なお、上記ベビーカー１は、以下のように変更してもよい。
・図９に示すように、左右の腰ベルト３５には、腰ベルトカバー５１を取り付けることも可能である。腰ベルトカバー５１は、股ベルトカバー４３や肩ベルトカバー４７と同様の生地素材によって全体として可撓性を有している。腰ベルトカバー５１は、ベルト部３５ａが挿通される筒状部５２と、筒状部５２における一方の第１開口部５２ａから延出した舌部５３とを備えている（図６参照）。
【００４６】
ここで、舌部５３は、その基端部の幅Ｗ２１が腰通し穴３９の幅Ｗ２３と同じまたは若干広いもしくは若干狭く形成されている。舌部５３は、基端部から先端部に向かって漸次拡幅し、逆台形形状を有している、舌部５３の先端部の幅広部５３ａの幅Ｗ２２は、腰通し穴３９の幅Ｗ２３よりも広く形成されている。
【００４７】
以上のように構成された腰ベルトカバー５１は、筒状部５２を構成するための帯部５２ｃ側が表となる。表面シート３６が座面ベース部３１および背当てベース部３３に取り付けられた状態とする。このような状態で、腰ベルトカバー５１には、帯部５２ｃをベビーカー１の前方または上方に向けて、第１開口部５２ａから差し込みバックル３５ｂを挿入端にしてベルト部３５ａが筒状部５２に挿入される。そして、差し込みバックル３５ｂは、第１開口部５２ａとは反対側の第２開口部５２ｂから露出される。
【００４８】
一方、舌部５３上には、第１開口部５２ａからベルト部３５ａが延在する。舌部５３は、撓ませて表面シート３６の腰通し穴３９に挿通され、背当てベース部３３の上にある表面シート３６の裏面に臨む。そして、舌部５３は、背当てベース部３３から露出しているベルト部３５ａの基端部において、先端部がベルト部３５ａの基端部とは離れる方向に折曲される。具体的には、背当てベース部３３の幅方向における内側に向けて折曲される。したがって、折曲された舌部５３は、乳幼児の背中や腰などの下に位置することになり、乳幼児による荷重が加わる。これにより、第１開口部５２ａは、腰通し穴３９の周囲に近接した状態が維持され、ベルト部３５ａが露出することが抑えられる。腰ベルトカバー５１は、腰ベルト３５に対して位置がずれにくくなる。特に腰ベルトカバー５１は、腰ベルト３５の差し込みバックル３５ｂの方向にもずれにくく、腰ベルト３５から抜けにくくもなる。すなわち、筒状部５２は、腰股通し穴３９と差し込みバックル３５ｂとの間に位置し、ベルト部３５ａが直接乳幼児の腰まわりに接触することを防ぐことができる。
【００４９】
・ベビーカー１においては、股ベルトカバー４３を股ベルト３２に取り付けるだけでもよい。また、肩ベルト３４に肩ベルトカバー４７取り付けるだけでもよい。さらに、腰ベルトカバー５１を腰ベルト３５に取り付けるだけでもよい。
【００５０】
・股ベルトカバー、肩ベルトカバー、腰ベルトカバーの何れかが舌部を備えていれば、他のベルトカバーは、舌部を備えていなくてもよい。ベビーカー１において、股ベルトカバー４３に舌部を設ける形態が最も好ましい。股ベルトカバー４３が股ベルト３２に対して最もずれ易いからである。
【００５１】
・幅広部４５ａ，４９ａ，５３ａは、先端側が最も広い台形形状を有していなくてもよい。例えば、各舌部４５，４９，５３において、基端部と先端部との間の中間部に幅広部４５ａ，４９ａ，５３ａを設けてもよい。
【００５２】
・座席装置において、乳幼児を拘束するベルトであれば、股ベルト３２、肩ベルト３４、腰ベルト３５以外のベルトであってもよい。このようなベルトに取り付けられるベルトカバーは、表面シートの裏側で舌部が乳幼児の荷重で押さえられる構成であればよい。
【００５３】
・股ベルトカバー４３は、舌部４５が座面ベース部３１の上にある表面シート３６の裏面に臨んだ状態で、乳幼児の足側となる前方に折曲するように配置してもよい。肩ベルトカバー４７は、舌部４９が背当てベース部３３の上にある表面シート３６の裏面に臨んだ状態で、上方に折曲するように配置してもよい。すなわち、図５に示す舌部４９の折曲方向とは反対方向に折曲された状態とにしてもよい。腰ベルトカバー５１は、舌部５３が背当てベース部３３の上にある表面シート３６の裏面に臨んだ状態で、幅方向における外側に折曲するように配置してもよい。すなわち、図９に示す舌部５３の折曲方向とは反対方向に折曲された状態としてもよい。
【００５４】
・股ベルトカバー４３は、第１開口部４４ａから露出した股ベルト３２が乳幼児の股などの近くの肌と直接接触する可能性が低いのであれば、第１開口部４４ａが股通し穴３７，４２と離間していてもよい。肩ベルトカバー４７は、第１開口部４８ａから露出した肩ベルト３４が乳幼児の首など肩近くの肌と直接接触する可能性が低いのであれば、第１開口部４８ａが肩通し穴３８と離間していてもよい。腰ベルトカバー５１は、第１開口部５２ａから露出した腰ベルト３５が乳幼児の腰まわりの肌と直接接触する可能性が低いのであれば、第１開口部５２ａが腰通し穴３９と離間していてもよい。すなわち、何れのベルトカバーであっても、舌部が乳幼児の荷重で押さえられ、ベルトに対して位置がずれにくくなっていればよい。
【００５５】
・腰ベルト３５は、座面ベース部３１の座面部１３ａと背当て部１３ｂの境界部の近くから延出していてもよい。
・ベビーカー１のフレーム構造は、上述の例に限定されるものではない。すなわち、ベビーカーとしては、座席部を備えたベビーカーであれば、どのようなフレーム構造のベビーカーであってもよい。例えば、折り畳み不能のフレーム構造を有したベビーカーであってもよい。また、ハンドルが背面押し位置および対面押し位置の切り替えが不能なフレーム構造を有したベビーカーであってもよい。
【００５６】
・乳幼児の座席装置としては、ベビーカー１のほか、チャイルドシートなどにも適用可能である。
【符号の説明】
【００５７】
１…ベビーカー、１１…前脚フレーム、１１ａ…前輪、１２…後脚フレーム、１２ａ…後輪、１３…座席部、１３ａ…座面部、１３ｂ…背当て部、１４…前ステー、１５…後ステー、１６…ステップ、１７…アームレスト、２２…フロントガード、２３…ハンドル、２３ａ…縦フレーム、２３ｂ…横フレーム、２４…開閉ロックレバー、２５…回動軸、３１…座面ベース部、３２…股ベルト、３２ａ…ベルト部、３２ｂ…バックル、３３…背当てベース部、３４…肩ベルト、３４ａ…ベルト部、３４ｂ…係合部、３５…腰ベルト、３５ａ…ベルト部、３５ｂ…差し込みバックル、３５ｃ…差込片、３５ｄ…フック片、３６…表面シート、３６ａ…止めベルト、３６ｂ…上側止めベルト、３６ｃ…ホック、３７…第１股通し穴、３８…肩通し穴、３９…腰通穴、４１…座面クッション、４２…第２股通し穴、４３…股ベルトカバー、４４…筒状部、４４ａ…第１開口部、４４ｂ…第２開口部、４４ｃ…帯部、４５…舌部、４５ａ…幅広部、４６…支持部、４７…肩ベルトカバー、４８…筒状部、４８ａ…第１開口部、４８ｂ…第２開口部、４８ｃ…帯部、４９…舌部、４９ａ…幅広部、５１…腰ベルトカバー、５２…筒状部、５２ａ…第１開口部、５２ｂ…第２開口部、５２ｃ…帯部、５３…舌部、５３ａ…幅広部。
【図１】
2020163887.tif 000003
【図２】
2020163887.tif 000004
【図３】
2020163887.tif 000005
【図４】
2020163887.tif 000006
【図５】
2020163887.tif 000007
【図６】
2020163887.tif 000008
【図７】
2020163887.tif 000009
【図８】
2020163887.tif 000010
【図９】
2020163887.tif 000011